Podtech/llm-jp-corpus-v4-ja_patent huggingface dataset:
【手続補正書】
【提出日】平成21年4月10日(2009.4.10)
【手続補正１】
【補正対象書類名】特許請求の範囲
【補正対象項目名】全文
【補正方法】変更
【補正の内容】
【特許請求の範囲】
【請求項１】
下記（１）〜（３）：
（１）２０℃以上のガラス遷移温度を有する少なくとも1種の第１ブロックＡと、
（２）１５℃以下のガラス遷移温度を有する少なくとも１種の第２ブロックＢと、
（３）２０℃以上のガラス遷移温度を有する少なくと１種の第３ブロックＣと
を有するブロック共重合体であって、ポリ（スチレン-co-メタアクリル酸）-b-ポリ（n-ブチルアクリレート）-b-ポリ（スチレン-co-メタアクリル酸）、ポリ（メチルメタアクリレート-co-メタアクリル酸）-b-ポリ（n-ブチルアクリレート）-b-ポリ（メチルメタアクリレート-co-メタアクリル酸）の中から選択されることを特徴とする直鎖のエチレン系ブロック共重合体。
【請求項２】
ブロックＢがコポリマー重量の５０重量％以上の量で存在する請求項1に記載のコポリマー。
【請求項３】
ポリ（メチルメタアクリレートco- メタアクリル酸）-b-ポリ（n-ブチルアクリレート）-b-ポリ（メチルメタアクリレート-co-メタアクリル酸）コポリマーが、
（１）ポリ（n-ブチルアクリレート）ブロックをコポリマーの全重量の65重量％の量で含み、
（２）各ポリ（メチルメタアクリレートco-メタアクリル酸）ブロックがコポリマーの全重量の1.6重量％の量のメタアクリル酸に由来するモノマー単位と、コポリマーの全重量の15.9重量％の量のメチルメタアクリレートに由来するモノマー単位とを有し、
（３）95000 g/モルの重量平均分子量を有する、
請求項２に記載のコポリマー。
【請求項４】
上記のポリ（スチレン-co-メタアクリル酸）-b-ポリ（n-ブチルアクリレート）-b-ポリ（スチレン-co-メタアクリル酸）コポリマーが、
（１）ポリ（n-ブチルアクリレート）ブロックをコポリマーの全重量の71重量％の量で含み、
（２）各ポリ（スチレン-co-メタアクリル酸）ブロックがコポリマーの全重量の２重量％
の量のメタアクリル酸に由来するモノマー単位と、コポリマーの全重量の12.5重量％の量のスチレンに由来するモノマー単位とを有し、
（３）372000 g/モルの重量平均分子量を有する、
請求項２に記載のコポリマー。
【請求項５】
ブロックＢがコポリマー重量の５〜95重量％の量で存在する請求項１に記載のコポリマー。
【請求項６】
ポリ（メチルメタクリレート-co-メタアクリル酸）-b-ポリ（n-ブチルアクリレート）-b-ポリ（メチルメタクアクリレート-co-メタアクリル酸）コポリマーが、
（１）ポリ（n-ブチルアクリレート）ブロックをコポリマーの全重量の35重量％の量で含み、
（２）各ポリ（メチルメタアクリレート-co-メタアクリル酸）ブロックがコポリマーの全重量の3.25重量％の量のメタアクリル酸に由来するモノマー単位と、コポリマーの全重量の29.25％の量のメチルメタアクリレートに由来するモノマー単位とを有し、
（３）150000 g/モルの重量平均分子量を有する、
請求項５に記載のコポリマー。
【請求項７】
請求項１〜６のいずれか一項に定義のコポリマーを、組成物の全重量に対して少なくとも1重量％で含む組成物。
【請求項８】
上記コポリマーが無機または有機の塩基によって中和度が0.1以上に完全または部分的に中和されている請求項７に記載の組成物。
【請求項９】
無機の塩基がアルカリ金属水酸化物、アルカリ土類金属水酸化物、金属水酸化物およびメタロイド水酸化物の中から選択される請求項８に記載の組成物。
【請求項１０】
有機の塩基がアミンである請求項８に記載の組成物。
【請求項１１】
アミンが１気圧で２００℃以上の沸点を有するアミンである請求項１０に記載の組成物。
【請求項１２】
コポリマーが組成物の全重量に対して少なくとも５重量％の量で存在する接着剤組成物である請求項７〜１１のいずれか一項に記載の組成物。
【請求項１３】
粘着付与樹脂および可塑剤の中から選択される添加剤をさらに含む請求項１２に記載の組成物。
【請求項１４】
可塑剤がトリメリテートタイプのオイルおよびナフテンを主成分とするオイルの中から選択される請求項１３に記載の組成物。
【請求項１５】
粘着付与樹脂がロジン、エステルガム、ポリテルペン、ヒドロキシル化したポリエステル、テルペン-スチレン、テルペン-ペンタエリスリトールまたはテルペン-フェノールをベースにした樹脂の中から選択される請求項１３に記載の組成物。
【請求項１６】
請求項１２〜１５のいずれか一項に記載の組成物を有する接着剤バンド、ストリップおよびリボン。
【請求項１７】
一種以上の熱可塑性ポリマーをさらに含む、熱可塑性組成物である請求項１２〜１５のいずれか一項に記載の組成物。
【請求項１８】
上記熱可塑性ポリマーがポリメチルメタアクリレート、ポリスチレンおよびポリ塩化ビニールの中から選択される請求項１７に記載の組成物。
【請求項１９】
請求項１〜６のいずれか一項に定義のコポリマーのホットメルト接着剤としての使用。
【手続補正書】
【提出日】平成21年3月18日(2009.3.18)
【手続補正１】
【補正対象書類名】特許請求の範囲
【補正対象項目名】全文
【補正方法】変更
【補正の内容】
【特許請求の範囲】
【請求項１】
式中、Ｒ１は、フッ素原子で置換されていてもよいＣ１〜４アルキルであり、またはＲ１は、シクロプロピルもしくはシクロプロピルメチルであり、Ｒ２は、メチルまたはエチルである、式Ｉの化合物
【化１】
2008534672.tif 000001
またはその薬学的に許容できる塩。
【請求項２】
Ｒ２がメチルである、請求項１に記載の化合物またはその薬学的に許容できる塩。
【請求項３】
Ｒ１がメチルである、請求項２に記載の化合物またはその薬学的に許容できる塩。
【請求項４】
Ｒ１がイソプロピルである、請求項２に記載の化合物またはその薬学的に許容できる塩。
【請求項５】
Ｒ１がエチル、フルオロエチル、プロピル、シクロプロピル、またはシクロプロピルメチルである、請求項２に記載の化合物またはその薬学的に許容できる塩。
【請求項６】
請求項１の化合物またはその薬学的に許容できる塩、および薬学的に許容できる担体を含む医薬組成物。
【請求項７】
哺乳動物において細菌感染症を治療するための、請求項１の化合物またはその薬学的に許容できる塩を含む医薬組成物。
【請求項８】
経口投与によって治療するための、請求項７に記載の医薬組成物。
【請求項９】
非経口、局所、直腸、または鼻腔内的投与によって治療するための、請求項７に記載の医薬組成物。
【請求項１０】
前記化合物が、約０．１〜約１００ｍｇ／ｋｇ体重／日の量で投与される、請求項７に記載の医薬組成物。
【請求項１１】
前記化合物が、約１〜約５０ｍｇ／ｋｇ体重／日の量で投与される、請求項７に記載の医薬組成物。
【請求項１２】
前記細菌感染症が、耳の感染症、眼の感染症、呼吸器感染症、皮膚および皮膚組織感染症、細菌性心内膜炎、骨髄炎、心内膜炎または糖尿病性足病変である、請求項７に記載の医薬組成物。
【請求項１３】
グラム陽性菌、グラム陰性菌、嫌気性生物、または抗酸菌が原因である細菌感染症を治療するための、請求項７に記載の医薬組成物。
【請求項１４】
ブドウ球菌、連鎖球菌、腸球菌、ヘモフィルス、モラクセラ、バクテロイデス、クロストリジウム、マイコバクテリア、またはクラミジアを含む細菌が原因である細菌感染症を治療するための、請求項７に記載の医薬組成物。
【請求項１５】
ブドウ球菌が黄色ブドウ球菌（Ｓ．ａｕｒｅｕｓ）または表皮ブドウ球菌（Ｓ．ｅｐｉｄｅｒｍｉｄｉｓ）であり、連鎖球菌が化膿連鎖球菌（Ｓ．ｐｙｏｇｅｎｅｓ）または肺炎連鎖球菌（Ｓ．ｐｎｅｕｍｏｎｉａｅ）であり、腸球菌がＥ．フェカーリス（Ｅ．ｆａｅｃａｌｉｓ）であり、ヘモフィルスがインフルエンザ菌（Ｈ．ｉｎｆｌｕｅｎｚａｅ）であり、モラクセラがＭ．カタラーリス（Ｍ．ｃａｔａｒｒｈａｌｉｓ）であり、マイコバクテリアが結核菌（Ｍ．ｔｕｂｅｒｃｕｌｏｓｉｓ）または鳥型結核菌（Ｍｙｃｏｂａｃｔｅｒｉｕｍ  ａｖｉｕｍ）である、請求項１４に記載の医薬組成物。
【請求項１６】
多剤耐性黄色ブドウ球菌が原因である細菌感染症を治療するための、請求項７に記載の医薬組成物。
【請求項１７】
（５Ｓ）−［３−（７−フルオロ−１−メチル−２−オキソ−２，３−ジヒドロ−１Ｈ−インドール−５−イル）−２−オキソ−オキサゾリジン−５−イルメチル］−カルバミン酸メチルエステルである、請求項１に記載の化合物またはその薬学的に許容できる塩。
【請求項１８】
前記化合物がその逆の鏡像異性体を実質的に含まない、請求項１７に記載の化合物またはその薬学的に許容できる塩。
【請求項１９】
前記化合物が少なくとも９０％鏡像異性体過剰である、請求項１７に記載の化合物またはその薬学的に許容できる塩。
【手続補正書】
【提出日】平成21年3月31日(2009.3.31)
【手続補正１】
【補正対象書類名】特許請求の範囲
【補正対象項目名】全文
【補正方法】変更
【補正の内容】
【特許請求の範囲】
【請求項１】
気分障害、不安障害または精神分裂病である精神の疾患または障害を治療するための配列番号：3、配列番号：33、配列番号：35、配列番号：67、配列番号：80、配列番号：81、配列番号：82および配列番号：83に記載の化合物よりなる群から選択されるアミリン、アミリンアゴニスト、アミリンアナログまたはアミリン誘導体であって、
医薬が該疾患または障害を治療するために有効な量で投与され、アミリンアゴニストがカルシトニンではない該アミリン、アミリンアゴニスト、アミリンアナログまたはアミリン誘導体。
【請求項２】
該疾患または障害が不安障害である、請求項１記載の精神の疾患または障害の治療のためのアミリン、アミリンアゴニスト、アミリンアナログまたはアミリン誘導体。
【請求項３】
該不安障害が強迫障害である、請求項２記載の精神の疾患または障害の治療のためのアミリン、アミリンアゴニスト、アミリンアナログまたはアミリン誘導体。
【請求項４】
疾患または障害が鬱病である、請求項１記載の精神の疾患または障害の治療のためのアミリン、アミリンアゴニスト、アミリンアナログまたはアミリン誘導体。
【請求項５】
疾患または障害が精神分裂病である、請求項１記載の精神の疾患または障害の治療のためのアミリン、アミリンアゴニスト、アミリンアナログまたはアミリン誘導体。
【請求項６】
該化合物が、配列番号：4-31、36-66および86-253よりなる群から選択される請求項１〜５のいずれか１記載のアミリン、アミリンアゴニスト、アミリンアナログまたはアミリン誘導体。
【請求項７】
請求項１〜５のいずれかのアミリン、アミリンアゴニスト、アミリンアナログまたはアミリン誘導体を含む医薬上許容される組成物。
【請求項８】
該アミリン、アミリンアゴニスト、アミリンアナログまたはアミリン誘導体が、配列番号：4-31、36-66および86-253よりなる群から選択される請求項６記載の医薬上許容される組成物。
【請求項９】
気分障害、不安障害または精神分裂病である精神の疾患または障害を治療するための配列番号：3、配列番号：33、配列番号：35、配列番号：67、配列番号：80、配列番号：81、配列番号：82および配列番号：83に記載の化合物よりなる群から選択されるアミリン、アミリンアゴニスト、アミリンアナログまたはアミリン誘導体を含む医薬組成物であって、
医薬が該疾患または障害を治療するために有効な量で投与され、アミリンアゴニストがカルシトニンではない該医薬組成物。
【請求項１０】
該疾患または障害が不安障害である請求項９記載の医薬組成物。
【請求項１１】
該不安障害が強迫障害である請求項１０記載の医薬組成物。
【請求項１２】
疾患または障害が鬱病である請求項９記載の医薬組成物。
【請求項１３】
疾患または障害が精神分裂病である請求項９記載の医薬組成物。
【請求項１４】
該アミリン、アミリンアゴニスト、アミリンアナログまたはアミリン誘導体が、配列番号：4-31、36-66および86-253よりなる群から選択される請求項９記載の医薬組成物。
【請求項１５】
気分障害、不安障害または精神分裂病である精神の疾患または障害の治療用医薬の製造のための配列番号：3、配列番号：33、配列番号：35、配列番号：67、配列番号：80、配列番号：81、配列番号：82および配列番号：83に記載の化合物よりなる群から選択されるアミリン、アミリンアゴニスト、アミリンアナログまたはアミリン誘導体の使用であって、
医薬が該疾患または障害を治療するために有効な量で投与され、アミリンアゴニストがカルシトニンではないことを特徴とする該使用。
【請求項１６】
疾患または障害が不安障害であることを特徴とする請求項１５記載の使用。
【請求項１７】
不安障害が強迫障害であることを特徴とする請求項１６記載の使用。
【請求項１８】
疾患または障害が鬱病であることを特徴とする請求項１５記載の使用。
【請求項１９】
疾患または障害が精神分裂病であることを特徴とする請求項１５記載の使用。
【請求項２０】
少なくとも１つの他の精神医薬が対象に投与されることを特徴とする請求項１５記載の使用。
【請求項２１】
精神障害を治療用医薬の製造のための配列番号：3、配列番号：33、配列番号：35、配列番号：67、配列番号：80、配列番号：81、配列番号：82および配列番号：83に記載の化合物よりなる群から選択されるアミリン、アミリンアゴニスト、アミリンアナログまたはアミリン誘導体の使用であって、
医薬が該障害を治療するために有効な量で投与され、物質関連障害が、物質依存、物質嗜癖、物質誘導不安障害および物質誘導気分障害よりなる群から選択される該使用。
【請求項２２】
物質関連障害が、物質嗜癖、物質誘導不安障害または物質誘導気分障害であることを特徴とする請求項２１記載の使用。
【請求項２３】
少なくとも１つの他の精神医薬が対象に投与されることを特徴とする請求項２２記載の使用。
【請求項２４】
該アミリン、アミリンアゴニスト、アミリンアナログまたはアミリン誘導体が、配列番号：4-31、36-66および86-253よりなる群から選択されることを特徴とする請求項１５〜２３のいずれか１記載の使用。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
インスリン関連障害のある患者の治療に使用の医薬品の製造におけるインスリン組成物の使用であって、該組成物は、インスリン関連障害のある患者において、肺投与ができるように適合されていて、食後血糖変動を抑えるための長期作用型基礎インスリンと組み合わせて使用し、ここで臨床上重要な後期食後低血糖の発症は抑えられる、前記使用。
【請求項２】
前記インスリン組成物は、食事の開始近くで投与できるように適合されている、請求項１に記載の使用。
【請求項３】
前記インスリン組成物がジケトピペラジンとヒトインスリンの間の複合体を含む、請求項１に記載の使用。
【請求項４】
前記ジケトピペラジンがフマリルジケトピペラジンである、請求項３に記載の使用。
【請求項５】
前記インスリンが、乾燥粉末として吸入により投与できるように適合されている、請求項４に記載の使用。
【請求項６】
前記インスリン組成物が、食事の開始に先立つほぼ１０分〜食事の開始後ほぼ３０分に投与できるように適合されている、請求項２に記載の使用。
【請求項７】
前記インスリン関連障害が糖尿病である、請求項１に記載の使用。
【請求項８】
前記インスリン関連障害が２型糖尿病である、請求項７に記載の使用。
【請求項９】
前記インスリン関連障害が１型糖尿病である、請求項７に記載の使用。
【請求項１０】
前記食後血糖変動が、実質的に同様のインスリン曝露をもたらす皮下投与インスリンの用量より生じる食後血糖変動より小さく、ここで平均血糖変動は、皮下投与の場合より少なくとも約２５％小さい、請求項１に記載の使用。
【請求項１１】
前記食後血糖変動が、インスリン単独の適正な皮下用量での治療により産生されるものより抑えられる、請求項１に記載の使用。
【請求項１２】
前記臨床上重要な後期食後低血糖のエピソードの頻度が、インスリン単独の適正な皮下用量での治療に比べて抑えられる、請求項１に記載の使用。
【請求項１３】
インスリン関連障害のある患者の治療に使用の医薬品の製造におけるインスリン組成物の使用であって、該組成物は、インスリン関連障害のある患者において、肺投与ができるように適合されていて、食後血糖変動を抑えるための長期作用型基礎インスリンと組み合わせて使用し、ここで患者の全インスリン曝露（ＩＮＳ−ＡＵＣ０−ｙ，３≦ｙ≦６時間）は、インスリンの適正な皮下用量により産生されるものを実質的に超えず、そしてここで食後血糖変動は抑えられる、前記使用。
【請求項１４】
後期食後低血糖のリスクを高めない、請求項１３に記載の使用。
【請求項１５】
インスリン関連障害のある患者の治療に使用の医薬品の製造におけるインスリン組成物の使用であって、該組成物はジケトピペラジンとインスリンを含み、肺投与に適していて、長期作用型基礎インスリンと組み合わせて使用される、前記使用。
【請求項１６】
体重増加が抑えられる、請求項１５に記載の使用。
【請求項１７】
インスリン関連障害のある患者の治療に使用の医薬品の製造におけるインスリン組成物の使用であって、該組成物はジケトピペラジンとインスリンを含み、インスリン関連障害のある患者において、食後血糖変動を抑えるための肺投与に適していて、ここで患者の全インスリン曝露（ＩＮＳ−ＡＵＣ０−ｙ，３≦ｙ≦６時間）は、インスリンの適正な皮下用量により産生されるものを実質的に超えない、前記使用。
【請求項１８】
インスリン関連障害のある患者の治療に使用の医薬品の製造におけるインスリン組成物の使用であって、該組成物はジケトピペラジンとインスリンを含み、肺投与に適していて、経口糖尿病薬と組み合わせて使用される、前記使用。
【手続補正書】
【提出日】平成21年3月30日(2009.3.30)
【手続補正１】
【補正対象書類名】特許請求の範囲
【補正対象項目名】全文
【補正方法】変更
【補正の内容】
【特許請求の範囲】
【請求項１】
リオチロニン又はその医薬として許容し得る塩を含む、徐放性の経口医薬組成物であって：該医薬組成物の投与後２時間前に、リオチロニンの血漿濃度が、リオチロニンの基準濃度、リオチロニンの基準濃度の３．５倍以上を超えず、かつ該組成物の投与が有害な心臓効果の頻度を減少させる、又は有害な心臓効果の発生を除去する、前記医薬組成物。
【請求項２】
前記有害な心臓効果が、心拍数の変動、頻拍又は不整拍、心悸亢進で増大した血圧、心臓発作の危険性の増大、胸痛、及びうっ血性心不全からなる群から選択される症状の１つ以上である、請求項１記載の医薬組成物。
【請求項３】
前記医薬組成物の投与後１時間前に、前記リオチロニンの血漿濃度が、リオチロニンの基準濃度、リオチロニンの基準濃度の３．５倍以上を超えない、請求項１記載の医薬組成物。
【請求項４】
投与時に、前記リオチロニンの血漿濃度が、リオチロニンの基準濃度、リオチロニンの基準濃度の３倍以上を超えない、請求項１記載の医薬組成物。
【請求項５】
投与時に、前記リオチロニンの血漿濃度が、リオチロニンの基準濃度、リオチロニンの基準濃度の２．５倍以上の基準濃度を超えない、請求項６記載の医薬組成物。
【手続補正書】
【提出日】平成21年2月12日(2009.2.12)
【手続補正１】
【補正対象書類名】特許請求の範囲
【補正対象項目名】全文
【補正方法】変更
【補正の内容】
【特許請求の範囲】
【請求項１】
ざ瘡の治療用のキットであって、
血管収縮剤、
抗ざ瘡剤、並びに
必要に応じて、美白剤、皮膚洗浄剤、収斂剤、日焼け防止剤、及びシーリング層からなる群から選択される１又は複数の成分を含む、前記キット。
【請求項２】
血管収縮剤が、０．０５％塩酸テトラヒドロゾリン、０．０３％塩酸ナファゾリン、０．０２５％塩酸オキシメタゾリン、グアバエキス、エラグ酸、カフェイン、サイプレス油、ウィッチヘーゼル、ペパーミントエキス、カモミール油、及びビューグルウィードからなる群から選択される、請求項１に記載のキット。
【請求項３】
抗ざ瘡剤が、過酸化ベンゾイル及びサリチル酸からなる群から選択される、請求項１又は２に記載のキット。
【請求項４】
美白剤が、アルバチン、アルブチン、ベアベリーエキス、マルベリーエキス、カンゾウエキス、タツナミソウ、アゼライン、グルコサミンアスコルビル、リン酸アスコルビルマグネシウム、アスコルビン酸、フキタンポポエキス、没食子酸、ナツメグ、桑枝エキス、及びコジック酸からなる群から選択される、請求項１〜３のいずれかに記載のキット。
【請求項５】
シーリング層がマイカを含んでいる、請求項１〜４のいずれかに記載のキット。
【請求項６】
ざ瘡の治療薬剤であって、
血管収縮剤、
続いて抗ざ瘡剤、並びに
必要に応じて、前記抗ざ瘡剤の適用後に、美白剤、皮膚洗浄剤、収斂剤、日焼け防止剤、及びシーリング層からなる群から選択される１又は複数の成分を含む、前記薬剤。
【請求項７】
血管収縮剤が、０．０５％塩酸テトラヒドロゾリン、０．０３％塩酸ナファゾリン、０．０２５％塩酸オキシメタゾリン、グアバエキス、エラグ酸、カフェイン、サイプレス油、ウィッチヘーゼル、ペパーミントエキス、カモミール油、及びビューグルウィードからなる群から選択される、請求項６に記載の薬剤。
【請求項８】
抗ざ瘡剤が、過酸化ベンゾイル及びサリチル酸からなる群から選択される、請求項６又は７に記載の薬剤。
【請求項９】
美白剤が、アルバチン、アルブチン、ベアベリーエキス、マルベリーエキス、リコリスエキス、タツナミソウ、アゼライン、グルコサミンアスコルビル、リン酸アスコルビルマグネシウム、アスコルビン酸、フキタンポポエキス、没食子酸、ナツメグ、桑枝エキス、及びコジック酸からなる群から選択される、請求項６〜８のいずれかに記載の薬剤。
【請求項１０】
シーリング層がマイカを含んでいる、請求項６〜９のいずれかに記載の薬剤。
【請求項１１】
敏感肌で生じているざ瘡の治療用の抗ざ瘡キットであって、
血管収縮剤、
トリクロサン又はハーブエキスである抗ざ瘡剤、並びに
必要に応じて、美白剤、皮膚洗浄剤、収斂剤、日焼け防止剤及びシーリング層からなる群から選択される１又は複数の成分を含む、前記キット。
【手続補正書】
【提出日】平成21年9月10日(2009.9.10)
【手続補正１】
【補正対象書類名】明細書
【補正対象項目名】０１００
【補正方法】変更
【補正の内容】
【０１００】
すなわち、本発明の製造方法によって製造された吸水性樹脂および本発明にかかる吸水性樹脂は生理食塩水に対する加圧下吸収倍率（４．８ｋＰａ）が好ましくは１５ｇ／ｇ以上、より好ましくは２０ｇ／ｇ以上、次に好ましくは２３ｇ／ｇ以上、さらに好ましくは２５ｇ／ｇ以上である。また、生理食塩水に対する加圧下吸収倍率（１．９ｋＰａ）も通常１５ｇ／ｇ以上好ましくは２０ｇ／ｇ以上、次に好ましくは２５ｇ／ｇ以上、さらに好ましくは２８ｇ／ｇ以上、特に好ましくは３２ｇ／ｇ以上である。無荷重下での吸収倍率（ＧＶｓ）も２５ｇ／ｇ以上、さらには好ましくは２８ｇ／ｇ以上、特に好ましくは３２ｇ／ｇ以上である。これら荷重下または無荷重下吸収倍率の上限は特にないが、他の物性とのバランスおよびコストから通常６０ｇ／ｇ程度である。
【手続補正２】
【補正対象書類名】明細書
【補正対象項目名】０１５３
【補正方法】変更
【補正の内容】
【０１５３】
【表１】
2008534695.tif 000001
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
対象による過食を制御または減少するのに有効な量のアミリンまたはアミリン・アゴニストを含む、対象における過食を制御するための医薬組成物。
【請求項２】
対象による過食を制御または減少するのに有効な量が、アミリンまたはアミリン・アゴニストを含まない場合の過食スケール（BES）総スコアと比較して対象のBES総スコアを減少するのに有効な量である請求項１記載の医薬組成物。
【請求項３】
対象による過食を制御または減少するのに有効な量が、アミリンまたはアミリン・アゴニストを含まない場合の過食スケール（BES）カテゴリーと比較して対象のBESカテゴリーを変化するのに有効な量であって、該BESカテゴリーが重度から中度に、重度から軽度にまたは中度から軽度に変化する請求項１記載の医薬組成物。
【請求項４】
対象が最も過食しそうな場合の１日の時点において投与する請求項１記載の医薬組成物。
【請求項５】
対象が感情的に意気消沈している場合に過食に参加する請求項１記載の医薬組成物。
【請求項６】
対象が不安症障害と診断されている請求項１記載の医薬組成物。
【請求項７】
対象の食物好みを修飾するのに有効な量のアミリンまたはアミリン・アゴニストを含む、対象の食物好みを修飾するための医薬組成物。
【請求項８】
対象の食物好みを修飾するのに有効な量が、高脂肪食品に対する対象の好みを減少するのに有効な量である請求項７記載の医薬組成物。
【請求項９】
対象の食物好みを修飾するのに有効な量が、低脂肪食品に対する対象の好みを増加するのに有効な量である請求項７記載の医薬組成物。
【請求項１０】
対象の食物好みを修飾するのに有効な量が、甘い食品に対する対象の好みを減少するのに有効な量である請求項７記載の医薬組成物。
【請求項１１】
対象の食物渇望を治療、減少または防ぐのに有効な量のアミリンまたはアミリン・アゴニストを含む、対象の食物渇望を治療、減少または防ぐための医薬組成物。
【請求項１２】
対象がストレス条件下にある請求項１１記載の医薬組成物。
【請求項１３】
対象の食物渇望を治療、減少または防ぐのに有効な量が、高脂肪食物に対する対象の渇望を減少するのに有効な量である請求項１１記載の医薬組成物。
【請求項１４】
対象の食物渇望を治療、減少または防ぐのに有効な量が、甘い脂肪食物に対する対象の渇望を減少するのに有効な量である請求項１１記載の医薬組成物。
【請求項１５】
対象の代謝速度をモデュレートするのに有効な量のアミリンまたはアミリン・アゴニストを含む、対象の代謝速度をモデュレートするための医薬組成物。
【請求項１６】
対象の代謝速度をモデュレートするのに有効な量が、代謝速度を増加するのに有効な量である請求項１５記載の医薬組成物。
【請求項１７】
対象の徐脂肪体重が減少しない請求項１６記載の医薬組成物。
【請求項１８】
対象が、アミリンまたはアミリン・アゴニストを含まない場合と比較して減少したカロリー取り込みを有する請求項１６記載の医薬組成物。
【請求項１９】
対象の体重およびウエスト周りが、アミリンまたはアミリン・アゴニストを含まない場合と比較して減少する請求項１６記載の医薬組成物。
【請求項２０】
対象が肥満である請求項１５記載の医薬組成物。
【手続補正書】
【提出日】平成21年4月6日(2009.4.6)
【手続補正１】
【補正対象書類名】特許請求の範囲
【補正対象項目名】全文
【補正方法】変更
【補正の内容】
【特許請求の範囲】
【請求項１】
それを必要とする対象における２型糖尿病の治療、予防もしくはその発病リスクの低減のための経皮水性アルコールゲル組成物であって、該経皮水性アルコールゲルが、
ａ．０．１％から１０％（ｗ／ｗ）のテストステロン合成系のステロイド、
ｂ．０．１％から５％（ｗ／ｗ）の浸透促進剤、
ｃ．０．１％から５％（ｗ／ｗ）の増粘剤、
ｄ．３０％から９８％（ｗ／ｗ）の低級アルコール、及び
ｅ．バランス純水、
を含み、テストステロン合成系の前記ステロイドが、テストステロン、その塩、そのエステル、そのアミド、その鏡像異性体、その異性体、その互変異性体、そのプロドラッグおよびその誘導体からなる群から選択される。
【請求項２】
前記浸透促進剤が、Ｃ８〜Ｃ２２脂肪酸、Ｃ８〜Ｃ２２脂肪族アルコール、Ｃ８〜Ｃ２２脂肪酸の低級アルキルエステル、Ｃ６〜Ｃ２２二酸のジ（低級）アルキルエステル、Ｃ８〜Ｃ２２脂肪酸のモノグリセリド、テトラヒドロフルフリルアルコールポリエチレングリコールエーテル、ポリエチレングリコール、プロピレングリコール、２−（２−エトキシエトキシ）エタノール、ジエチレングリコールモノメチルエーテル、ポリエチレンオキシドのアルキルアリールエーテル、ポリエチレンオキシドモノメチルエーテル、ポリエチレンオキシドジメチルエーテル、ジメチルスルホキシド、グリセリン、酢酸エチル、アセト酢酸エステル、Ｎ−アルキルピロリドン、テルペン、ミリスチン酸イソプロピル及びそれらの組合せからなる群から選択される請求項１の経皮水性アルコールゲル組成物。
【請求項３】
前記浸透促進剤がミリスチン酸イソプロピルである請求項２の経皮水性アルコールゲル組成物。
【請求項４】
前記増粘剤がポリアクリル酸である請求項１から３いずれかの経皮水性アルコールゲル組成物。
【請求項５】
前記経皮水性アルコールゲル組成物が、
ａ．１％（ｗ／ｗ）のテストステロン、
ｂ．０．９％（ｗ／ｗ）のポリアクリル酸、
ｃ．０．５％（ｗ／ｗ）のミリスチン酸イソプロピル、
ｄ．６７％（ｗ／ｗ）のエタノール、および
ｅ．バランス純水、
を含む、請求項１の経皮水性アルコールゲル組成物。
【請求項６】
経皮水性アルコールゲル組成物が、皮膚に適用された後に、投与後２時間から投与後２４時間までの間に血清１ｄｌにつき６００ｎｇから血清１ｄｌにつき１０５０ｎｇまでに維持された総テストステロンの循環血清濃度を達成する速度と持続時間でテストステロンを放出することができる請求項１から５いずれか１項の経皮水性アルコールゲル組成物。
【請求項７】
該循環血清濃度が血清１ｄｌにつき７００ｎｇから血清１ｄｌにつき１０５０ｎｇまでに維持される請求項６の経皮水性アルコールゲル組成物。
【手続補正２】
【補正対象書類名】明細書
【補正対象項目名】発明の名称
【補正方法】変更
【補正の内容】
【発明の名称】２型糖尿病を治療または予防する組成物
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
未乾燥紡績マルチフィラメントヤーンに入っているポリ燐酸に加水分解を受けさせる方法であって、
ａ）未乾燥紡績マルチフィラメントヤーンの中のフィラメントから表面の液体を除去し、
ｂ）前記ヤーンを温度が少なくとも約１５０℃の熱表面と接触させることでポリ燐酸に加水分解を受けさせるが、ここで、前記フィラメントは実質的に融合していないままであり、そして
ｃ）その後、前記熱表面と接触させたヤーンからポリ燐酸の加水分解物を除去する、
ことを含んで成る方法。
【請求項２】
更に、
ｄ）段階ｃ）で得たヤーンを乾燥させる、
段階も含んで成る請求項１記載の方法。
【請求項３】
前記未乾燥ヤーンの中のフィラメントから表面の液体を除去することが前記ヤーンを少なくとも約１５０℃の熱表面と接触させることでポリ燐酸に加水分解を受けさせる前に乾燥させることを含んで成る請求項１記載の方法。
【請求項４】
前記未乾燥紡績マルチフィラメントヤーンの中のフィラメントから表面の液体を除去する前に前記未乾燥紡績マルチフィラメントヤーンを水性流体で濯いでおく請求項１記載の方法。
【請求項５】
前記ポリ燐酸の加水分解物を前記ヤーンから除去することが塩基を用いた洗浄を実施することを包含する請求項１記載の方法。
【請求項６】
前記ヤーンを塩基で洗浄する前および後にそれを水で洗浄する請求項５記載の方法。
【請求項７】
後で前記ヤーンを揮発性酸で洗浄する請求項５記載の方法。
【請求項８】
前記マルチフィラメントヤーンがポリアレーンアゾール重合体のフィラメントを含んで成る請求項１記載の方法。
【請求項９】
前記ポリアレーンアゾールがポリピリドアゾールである請求項８記載の方法。
【請求項１０】
前記ポリアレーンアゾールがポリベンゾアゾールである請求項８記載の方法。
【請求項１１】
前記ポリベンゾアゾールがポリベンゾビスオキサゾールである請求項１０記載の方法。
【手続補正２】
【補正対象書類名】明細書
【補正対象項目名】００９５
【補正方法】変更
【補正の内容】
【００９５】
本分野の技術者は、本発明の好適な態様に対して数多くの変更および修飾を成すことができそしてそのような変更および修飾を本発明の精神から逸脱することなく行うことができることを理解するであろう。従って、添付請求項に本発明の真の精神および範囲内に入る如きそのような相当する変形の全部を包含させることを意図する。
次に、本発明の好ましい態様を示す。
１．未乾燥紡績マルチフィラメントヤーンに入っているポリ燐酸に加水分解を受けさせる方法であって、
ａ）未乾燥紡績マルチフィラメントヤーンの中のフィラメントから表面の液体を除去し、そして
ｂ）前記ヤーンを熱表面と接触させることでポリ燐酸に加水分解を受けさせる、
ことを含んで成っていて、前記フィラメントが実質的に融合していないままである方法。
２．更に、
ｃ）ポリ燐酸の加水分解物を前記ヤーンから除去する、
段階も含んで成る前記１記載の方法。
３．前記未乾燥ヤーンの中のフィラメントから表面の液体を除去することが乾燥を実施することを含んで成る前記１記載の方法。
４．前記乾燥を約１４０℃未満の温度で実施する前記３記載の方法。
５．前記乾燥を約１２０℃未満の温度に加熱したロール上で実施する前記４記載の方法。
６．前記未乾燥紡績マルチフィラメントヤーンの中のフィラメントから表面の液体を除去する前に前記未乾燥紡績マルチフィラメントヤーンを水性流体で濯いでおく前記１記載の方法。
７．前記熱表面が加熱されたロールを含んで成る前記１記載の方法。
８．前記熱表面の表面温度を少なくとも約１５０℃にする前記１記載の方法。
９．前記熱表面の表面温度を少なくとも約１８０℃にする前記８記載の方法。
１０．前記ポリ燐酸の加水分解物を前記ヤーンから除去することが塩基を用いた洗浄を実施することを包含する前記２記載の方法。
１１．前記ヤーンを塩基で洗浄する前および後にそれを水で洗浄する前記１０記載の方法。
１２．前記塩基が水酸化ナトリウム、水酸化カリウム、水酸化アンモニウム、重炭酸ナトリウムまたはこれらの任意組み合わせを含んで成る前記１０記載の方法。
１３．前記塩基が水酸化ナトリウム、水酸化カリウム、水酸化アンモニウム、重炭酸ナトリウムまたはこれらの任意組み合わせを含んで成る前記１１記載の方法。
１４．後で前記ヤーンを揮発性酸で洗浄する前記１０記載の方法。
１５．前記マルチフィラメントヤーンがポリアレーンアゾール重合体のフィラメントを含んで成る前記１記載の方法。
１６．前記ポリアレーンアゾールがポリピリドアゾールである前記１５記載の方法。
１７．前記ポリピリドアゾールがポリピリドビスイミダゾールである前記１６記載の方法。
１８．前記ポリピリドビスイミダゾールがポリ（１，４−（２，５−ジヒドロキシ）フェニレン−２，６−ピリド［２，３−ｄ：５，６−ｄ’］ビスイミダゾールである前記１７記載の方法。
１９．前記ポリアレーンアゾールがポリベンゾアゾールである前記１５記載の方法。
２０．前記ポリベンゾアゾールがポリベンゾビスオキサゾールである前記１９記載の方法。
【手続補正書】
【提出日】平成21年3月24日(2009.3.24)
【手続補正１】
【補正対象書類名】特許請求の範囲
【補正対象項目名】全文
【補正方法】変更
【補正の内容】
【特許請求の範囲】
【請求項１】
内燃機関（１）と相まって用いられる複合駆動装置であって、排ガス流内に少なくとも１つの排ガスタービン（７）が設けられており、該排ガスタービン（７）のエネルギが、内燃機関（１）からクランクシャフトまたははずみディスクへの動力伝達経路に供給されるようになっており、排ガスタービン（７）と供給点との間に、回転数減少のための減速伝動装置（８，１０）が配置されている形式のものにおいて、排ガスタービン（７）から供給点への動力伝達経路に、少なくともそれぞれ１つの入力部分（１９）および出力部分（２０）を備えたねじり振動ダンパ（１２）が配置されていることを特徴とする複合駆動装置。
【請求項２】
ねじり振動ダンパ（１２）が、周方向に作用する複数のエネルギ蓄え器を装備している、請求項１記載の複合駆動装置。
【請求項３】
前記少なくとも１つの入力部分（１９）に付加質量体（１５）が相対回動不能に結合されている、請求項１または２記載の複合駆動装置。
【請求項４】
前記少なくとも１つの出力部分（２０）に付加質量体（１５）が相対回動不能に結合されている、請求項１から３までのいずれか１項記載の複合駆動装置。
【請求項５】
エネルギ蓄え器が、種々異なるばね特性線と組み合わされている、請求項２記載の複合駆動装置。
【請求項６】
エネルギ蓄え器が直列に配置されている、請求項５記載の複合駆動装置。
【請求項７】
エネルギ蓄え器が並列に配置されている、請求項５記載の複合駆動装置。
【請求項８】
ねじり振動ダンパ（１２）がオイル潤滑部を備えている、請求項１から７までのいずれか１項記載の複合駆動装置。
【請求項９】
前記オイル潤滑部が、内燃機関（１）のオイル潤滑部と連結されている、請求項８記載の複合駆動装置。
【請求項１０】
ねじり振動ダンパ（１２）の減衰特性が調整可能となるようにねじり振動ダンパ（１２）が形成されている、請求項１から９までのいずれか１項記載の複合駆動装置。
【請求項１１】
ねじり振動ダンパ（１２）から到来する力の流れが、クランクシャフト端部（はずみディスク）に供給される、請求項１から１０までのいずれか１項記載の複合駆動装置。
【請求項１２】
ねじり振動ダンパ（１２）から到来する力の流れが、クランクシャフトに供給される、請求項１から１０までのいずれか１項記載の複合駆動装置。
【請求項１３】
ねじり振動ダンパ（１２）がフリーホイールを備えている、請求項１から１２までのいずれか１項記載の複合駆動装置。
【請求項１４】
排ガスタービン（７）と供給点との間のパワートレーンに吸振器が配置されている、請求項１から１３までのいずれか１項記載の複合駆動装置。
【請求項１５】
軸方向に作用する少なくとも１つのエネルギ蓄え器が、周方向に形成された斜面に沿って転動する転動体に作用するようにねじり振動ダンパが形成されている、請求項１または１１記載の複合駆動装置。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
マルチフィラメントヤーンに残存するポリ燐酸を除去する方法であって、
ａ）ポリアレーンアゾール重合体とポリ燐酸を含有して成る溶液からフィラメントの束を紡績して凝固浴の中に入れ、
ｂ）前記フィラメントの束をマルチフィラメントヤーンの形態で前記浴から取り出し、
ｃ）前記ヤーンの中の前記フィラメントから表面の液体を除去し、
ｄ）前記ヤーンを熱表面と接触させることでポリ燐酸に加水分解を受けさせ、そして
ｅ）ポリ燐酸の加水分解物を前記ヤーンから除去する、
ことを含んで成っていて、前記フィラメントが実質的に融合していないままである方法。
【請求項２】
前記ヤーンの中の前記フィラメントから表面の液体を除去することが乾燥を実施することを含んで成る請求項１記載の方法。
【請求項３】
前記ヤーンの中の前記フィラメントから表面の液体を除去する前に前記ヤーンを水性流体で濯いでおく請求項１記載の方法。
【請求項４】
前記ポリ燐酸の加水分解物を除去することが塩基を用いた洗浄を実施することを包含する請求項１記載の方法。
【請求項５】
前記ヤーンを塩基で洗浄する前および後にそれを水で洗浄する請求項４記載の方法。
【請求項６】
後で前記ヤーンを酸で洗浄する請求項４記載の方法。
【請求項７】
前記マルチフィラメントヤーンがポリアレーンアゾール重合体のフィラメントを含んで成る請求項１記載の方法。
【請求項８】
前記ポリアレーンアゾールがポリピリドアゾールである請求項７記載の方法。
【請求項９】
前記ポリアレーンアゾールがポリベンゾアゾールである請求項７記載の方法。
【手続補正２】
【補正対象書類名】明細書
【補正対象項目名】００９５
【補正方法】変更
【補正の内容】
【００９５】
本分野の技術者は、本発明の好適な態様に対して数多くの変更および修飾を成すことができそしてそのような変更および修飾を本発明の精神から逸脱することなく行うことができることを理解するであろう。従って、添付請求項に本発明の真の精神および範囲内に入る如きそのような相当する変形の全部を包含させることを意図する。
次に、本発明の好ましい態様を示す。
１．マルチフィラメントヤーンに残存するポリ燐酸を除去する方法であって、
ａ）ポリアレーンアゾール重合体とポリ燐酸を含有して成る溶液からフィラメントの束を紡績して凝固浴の中に入れ、
ｂ）前記フィラメントの束をマルチフィラメントヤーンの形態で前記浴から取り出し、
ｃ）前記ヤーンの中の前記フィラメントから表面の液体を除去し、
ｄ）前記ヤーンを熱表面と接触させることでポリ燐酸に加水分解を受けさせ、そして
ｅ）ポリ燐酸の加水分解物を前記ヤーンから除去する、
ことを含んで成っていて、前記フィラメントが実質的に融合していないままである方法。
２．前記ヤーンの中の前記フィラメントから表面の液体を除去することが乾燥を実施することを含んで成る前記１記載の方法。
３．前記乾燥を約１４０℃未満の温度で実施する前記２記載の方法。
４．前記乾燥を約１２０℃未満の温度に加熱したロール上で実施する前記３記載の方法。
５．前記ヤーンの中の前記フィラメントから表面の液体を除去する前に前記ヤーンを水性流体で濯いでおく前記１記載の方法。
６．前記熱表面が加熱されたロールを含んで成る前記１記載の方法。
７．前記熱表面の表面温度を少なくとも１５０℃にする前記１記載の方法。
８．前記熱表面の表面温度を少なくとも１８０℃にする前記７記載の方法。
９．前記ポリ燐酸の加水分解物を除去することが塩基を用いた洗浄を実施することを包含する前記１記載の方法。
１０．前記ヤーンを塩基で洗浄する前および後にそれを水で洗浄する前記９記載の方法。
１１．前記塩基が水酸化ナトリウム、水酸化カリウム、水酸化アンモニウム、重炭酸ナトリウムまたはこれらの任意組み合わせを含んで成る前記９記載の方法。
１２．前記塩基が水酸化ナトリウム、水酸化カリウム、水酸化アンモニウム、重炭酸ナトリウムまたはこれらの任意組み合わせを含んで成る前記１０記載の方法。
１３．後で前記ヤーンを酸で洗浄する前記９記載の方法。
１４．前記マルチフィラメントヤーンがポリアレーンアゾール重合体のフィラメントを含んで成る前記１記載の方法。
１５．前記ポリアレーンアゾールがポリピリドアゾールである前記１４記載の方法。
１６．前記ポリピリドアゾールがポリピリドビスイミダゾールである前記１５記載の方法。
１７．前記ポリピリドビスイミダゾールがポリ（１，４−（２，５−ジヒドロキシ）フェニレン−２，６−ピリド［２，３−ｄ：５，６−ｄ’］ビスイミダゾールである前記１６記載の方法。
１８．前記ポリアレーンアゾールがポリベンゾアゾールである前記１４記載の方法。
１９．前記ポリベンゾアゾールがポリベンゾビスオキサゾールである前記１記載の方法。
２０．前記ヤーンを熱表面と接触させている間に前記ポリ燐酸の実質的に全部が加水分解を受けるようにする前記１記載の方法。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ポリ燐酸を含有する重合体溶液から紡績したヤーンであるが燐をヤーンの少なくとも約１．５重量パーセントの量で含有して成るヤーンから燐を除去する方法であって、重合体およびポリ燐酸を含有して成る紡績したマルチフィラメントヤーンを少なくとも１２０摂氏度にポリ燐酸が加水分解を受けるに有効な時間加熱することで準備したヤーンを塩基と接触させた後に前記ヤーンを水性流体で洗浄することを含んで成る方法。
【請求項２】
前記ヤーンと前記塩基を接触させる前の前記ヤーンの燐含有量がヤーンの重量を基準にして２から２０パーセントの範囲内である請求項１記載の方法。
【請求項３】
前記ヤーンと前記塩基の接触に噴霧、コーティング、フローイング、ドローイング、浸漬またはこれらの任意組み合わせを含める請求項１記載の方法。
【請求項４】
前記塩基に水酸化ナトリウム、水酸化カリウム、水酸化アンモニウム、重炭酸ナトリウムまたはこれらの任意組み合わせを含める請求項３記載の方法。
【請求項５】
前記水性流体に酸が入っている請求項１記載の方法。
【請求項６】
前記重合体がポリアレーンアゾールを含んで成る請求項１記載の方法。
【請求項７】
前記水性流体で洗浄した後の前記ヤーンが含有する燐の量がヤーンの重量を基準にして０．１パーセント未満である請求項１記載の方法。
【請求項８】
前記接触段階の時間を３０秒以内にする請求項１記載の方法。
【請求項９】
前記洗浄段階の時間を３０秒以内にする請求項１記載の方法。
【請求項１０】
前記ポリ燐酸に加水分解を受けさせるに有効な時間が約１２０秒以内である請求項１記載の方法。
【手続補正２】
【補正対象書類名】明細書
【補正対象項目名】００８８
【補正方法】変更
【補正の内容】
【００８８】
本分野の技術者は、本発明の好適な態様に対して数多くの変更および修飾を成すことができそしてそのような変更および修飾を本発明の精神から逸脱することなく行うことができることを理解するであろう。従って、添付請求項に本発明の真の精神および範囲内に入る如きそのような相当する変形の全部を包含させることを意図する。
次に、本発明の好ましい態様を示す。
１．ポリ燐酸を含有する重合体溶液から紡績したヤーンであるが燐をヤーンの少なくとも約１．５重量パーセントの量で含有して成るヤーンから燐を除去する方法であって、前記ヤーンを塩基と接触させた後に前記ヤーンを水性流体で洗浄することを含んで成る方法。
２．前記ヤーンと前記塩基を接触させる前の前記ヤーンの燐含有量がヤーンの重量を基準にして２から２０パーセントの範囲内である前記１記載の方法。
３．前記ヤーンと前記塩基を接触させる前の前記ヤーンの燐含有量がヤーンの重量を基準にして４から１５パーセントである前記１記載の方法。
４．前記ヤーンと前記塩基の接触に噴霧、コーティング、フローイング、ドローイング、浸漬またはこれらの任意組み合わせを含める前記１記載の方法。
５．前記塩基に水酸化ナトリウム、水酸化カリウム、水酸化アンモニウム、重炭酸ナトリウムまたはこれらの任意組み合わせを含める前記４記載の方法。
６．前記水性流体に酸が入っている前記１記載の方法。
７．前記酸が揮発性酸である前記６記載の方法。
８．前記揮発性酸に酢酸またはプロピオン酸もしくはこれらの任意組み合わせを含める前記７記載の方法。
９．前記重合体がポリアレーンアゾールを含んで成る前記１記載の方法。
１０．前記ポリアレーンアゾールがポリピリドアゾールである前記９記載の方法。
１１．前記ポリピリドアゾールがポリピリドビスイミダゾールである前記１０記載の方法。
１２．前記ポリピリドビスイミダゾールがポリ（１，４−（２，５−ジヒドロキシ）フェニレン−２，６−ピリド［２，３−ｄ：５，６−ｄ’］ビスイミダゾールである前記１１記載の方法。
１３．前記ポリアレーンアゾールがポリベンゾビスオキサゾールである前記９記載の方法。
１４．前記水性流体で洗浄した後の前記ヤーンが含有する燐の量がヤーンの重量を基準にして０．１パーセント未満である前記１記載の方法。
１５．重合体およびポリ燐酸を含有して成る紡績したマルチフィラメントヤーンを少なくとも１２０摂氏度にポリ燐酸が加水分解を受けるに有効な時間加熱することで前記ヤーンを準備する前記１記載の方法。
１６．前記塩基が水酸化ナトリウム水溶液であるか或は前記水性流体に酢酸を入れるか或は両方にする前記１記載の方法。
１７．前記接触段階の時間を３０秒以内にする前記１記載の方法。
１８．前記洗浄段階の時間を３０秒以内にする前記１記載の方法。
１９．前記ヤーンを塩基と接触させる段階を前記ヤーンを水性流体で洗浄する段階の前に始める前記１記載の方法。
２０．前記ポリ燐酸に加水分解を受けさせるに有効な時間が約１２０秒以内である前記１５記載の方法。
【手続補正書】
【提出日】平成21年3月27日(2009.3.27)
【手続補正１】
【補正対象書類名】特許請求の範囲
【補正対象項目名】全文
【補正方法】変更
【補正の内容】
【特許請求の範囲】
【請求項１】
ポリアレーンアゾールマルチフィラメントヤーンの連続製造方法であって、
ａ）ポリアレーンアゾール重合体とポリ燐酸を含有して成る溶液を多数のオリフィスに通して押し出すことでフィラメントを生じさせ、
ｂ）前記フィラメントからマルチフィラメントヤーンを生じさせ、
ｃ）前記ヤーンを約１２０℃以上の温度に約２分以内加熱することで前記ヤーンに入っているポリ燐酸の少なくともいくらかに加水分解を受けさせ、
ｄ）前記ヤーンから前記ポリ燐酸の加水分解物の少なくともいくらかを洗い流し、
ｅ）前記洗浄したヤーンを乾燥させ、
ｆ）場合により、前記ヤーンを約３００℃以上に加熱し、そして
ｇ）前記ヤーンを１分当たり少なくとも約５０メートルの速度で集める、
ことを含んで成る方法。
【請求項２】
前記加水分解を受けさせる前のヤーンに調整を受けさせることを追加的に含んで成る請求項１記載の方法。
【請求項３】
前記押し出した後のフィラメントをエアギャップに通した後に凝固浴の中に通す請求項１記載の方法。
【請求項４】
前記溶液が液晶溶液である請求項１記載の方法。
【請求項５】
前記ポリアレーンアゾール重合体がアゾール生成用単量体から生じさせた重合体であり、ここで、前記単量体が２，５−ジメルカプト−ｐ−フェニレンジアミン、テレフタル酸、ビス−（４−安息香酸）、オキシ−ビス−（４−安息香酸）、２，５−ジヒドロキシテレフタル酸、イソフタル酸、２，５−ピリドジカルボン酸、２，６−ナフタレンジカルボン酸、２，６−キノリンジカルボン酸、２，６−ビス（４−カルボキシフェニル）ピリドビスイミダゾール、２，３，５，６−テトラアミノピリジン、４，６−ジアミノレゾルシノール、２，５−ジアミノヒドロキノン、２，５−ジアミノ−４，６−ジチオベンゼンまたはこれらの任意組み合わせである請求項１記載の方法。
【請求項６】
前記アゾール生成用単量体が２，３，５，６−テトラアミノピリジンおよび２，５−ジヒドロキシテレフタル酸である請求項５記載の方法。
【請求項７】
調整が前記ヤーンから表面の液体を除去することを含んで成る請求項２記載の方法。
【請求項８】
表面の液体を除去する前に前記ヤーンを水溶液で濯いでおく請求項７記載の方法。
【請求項９】
前記ヤーンを約１５０℃以上の温度に加熱することで前記ヤーンに入っている前記ポリ燐酸の少なくともいくらかに加水分解を受けさせる請求項１記載の方法。
【請求項１０】
前記洗浄が前記ヤーンを塩基水溶液と接触させることを含んで成る請求項１記載の方法。
【請求項１１】
前記洗浄が前記ヤーンを塩基水溶液と接触させた後に酸水溶性と接触させることを含んで成る請求項１記載の方法。
【請求項１２】
前記洗浄が前記ヤーンを水と接触させることを含んで成る請求項１記載の方法。
【請求項１３】
前記ヤーンを水含有量が約２０重量パーセント未満になるまで乾燥させる請求項１記載の方法。
【請求項１４】
段階ｆ）で前記ヤーンを約４００℃以上の温度に加熱する請求項１記載の方法。
【請求項１５】
前記ヤーンを１分当たり少なくとも約１００メートルの速度で集める請求項１記載の方法。
【手続補正２】
【補正対象書類名】明細書
【補正対象項目名】０１４９
【補正方法】変更
【補正の内容】
【０１４９】
この上に記述した要約ばかりでなく詳細な説明も添付図と関連させて読むことで更に理解されるであろう。本発明を例示する目的で、本発明の典型的な態様を本図に示すが、しかしながら、本発明をその開示する具体的な方法、組成物およびデバイスに限定するものでない。
次に、本発明の好ましい態様を示す。
１．ポリアレーンアゾールマルチフィラメントヤーンの連続製造方法であって、
ａ）ポリアレーンアゾール重合体とポリ燐酸を含有して成る溶液を多数のオリフィスに通して押し出すことでフィラメントを生じさせ、
ｂ）前記フィラメントからマルチフィラメントヤーンを生じさせ、
ｃ）前記ヤーンを約１２０℃以上の温度に約２分以内加熱することで前記ヤーンに入っているポリ燐酸の少なくともいくらかに加水分解を受けさせ、
ｄ）前記ヤーンから前記ポリ燐酸の加水分解物の少なくともいくらかを洗い流し、
ｅ）前記洗浄したヤーンを乾燥させ、
ｆ）場合により、前記ヤーンを約３００℃以上に加熱し、そして
ｇ）前記ヤーンを１分当たり少なくとも約５０メートルの速度で集める、
ことを含んで成る方法。
２．前記加水分解を受けさせる前のヤーンに調整を受けさせることを追加的に含んで成る前記１記載の方法。
３．前記押し出した後のフィラメントをエアギャップに通した後に凝固浴の中に通す前記１記載の方法。
４．前記溶液が液晶溶液である前記１記載の方法。
５．前記ポリアレーンアゾール重合体がアゾール生成用単量体から生じさせた重合体であり、ここで、前記単量体が２，５−ジメルカプト−ｐ−フェニレンジアミン、テレフタル酸、ビス−（４−安息香酸）、オキシ−ビス−（４−安息香酸）、２，５−ジヒドロキシテレフタル酸、イソフタル酸、２，５−ピリドジカルボン酸、２，６−ナフタレンジカルボン酸、２，６−キノリンジカルボン酸、２，６−ビス（４−カルボキシフェニル）ピリドビスイミダゾール、２，３，５，６−テトラアミノピリジン、４，６−ジアミノレゾルシノール、２，５−ジアミノヒドロキノン、２，５−ジアミノ−４，６−ジチオベンゼンまたはこれらの任意組み合わせである前記１記載の方法。
６．前記アゾール生成用単量体が２，３，５，６−テトラアミノピリジンおよび２，５−ジヒドロキシテレフタル酸である前記５記載の方法。
７．調整が前記ヤーンから表面の液体を除去することを含んで成る前記２記載の方法。
８．表面の液体を除去する前に前記ヤーンを水溶液で濯いでおく前記７記載の方法。
９．前記ヤーンを約１５０℃以上の温度に加熱することで前記ヤーンに入っている前記ポリ燐酸の少なくともいくらかに加水分解を受けさせる前記１記載の方法。
１０．前記ヤーンを約１８０℃以上の温度に加熱することで前記ヤーンに入っている前記ポリ燐酸の少なくともいくらかに加水分解を受けさせる前記９記載の方法。
１１．前記ヤーンを約２００℃以上の温度に加熱することで前記ヤーンに入っている前記ポリ燐酸の少なくともいくらかに加水分解を受けさせる前記１０記載の方法。
１２．前記洗浄が前記ヤーンを塩基水溶液と接触させることを含んで成る前記１記載の方法。
１３．前記洗浄が前記ヤーンを塩基水溶液と接触させた後に酸水溶性と接触させることを含んで成る前記１記載の方法。
１４．前記洗浄が前記ヤーンを水と接触させることを含んで成る前記１記載の方法。
１５．前記ヤーンを水含有量が約２０重量パーセント未満になるまで乾燥させる前記１記載の方法。
１６．段階ｆ）で前記ヤーンを約４００℃以上の温度に加熱する前記１記載の方法。
１７．前記ヤーンを１分当たり少なくとも約１００メートルの速度で集める前記１記載の方法。
１８．前記ヤーンを１分当たり少なくとも約２５０メートルの速度で集める前記１記載の方法。
１９．前記ヤーンを１分当たり少なくとも約５００メートルの速度で集める前記１記載の方法。
２０．前記ヤーンを１分当たり少なくとも約８００メートルの速度で集める前記１記載の方法。